(57)【要約】      （修正有）【課題】貯蔵庫本体の開口縁部と扉の背面との間に向かって流れる庫内の冷気の流れを凸条部によって阻害しつつ、扉を９０度より大きく開いたときに開口の寸法が凸条部によって狭くなってしまうことを抑制できる冷却貯蔵庫を提供する。【解決手段】開口４０を有する貯蔵庫本体１０と、開口４０を開閉する断熱扉１１Ａが、回動軸４１Ａ回りに９０度より大きく開く回動可能に貯蔵庫本体１０に取り付けられており、断熱扉１１Ａが閉状態において断熱扉１１Ａの背面から庫内側に張り出している左側凸条部３２Ｃが、回動軸４１Ａの近傍において回動軸４１Ａ方向に延びており、貯蔵庫本体１０の開口縁部と断熱扉１１Ａの背面１１Ｃとの間に向かって流れる庫内の冷気の流れを阻害する左側凸条部３２Ｃと、を備え、左側凸条部３２Ｃは張り出し方向の先端部に平坦面３４Ｃを有しており、平坦面３４Ｃは回動軸４１Ａに近づくにつれて前側に傾斜している、冷却貯蔵庫。【選択図】図２
2019143893.tif 000002
【特許請求の範囲】
【請求項１】
前側に開口を有する貯蔵庫本体と、
前記開口を開閉する扉であって、回動軸回りに回動可能に前記貯蔵庫本体に取り付けられており、９０度より大きく開く扉と、
前記扉が閉じられている状態において前記扉の背面から庫内側に張り出している凸条部であって、前記回動軸の近傍において前記回動軸方向に延びており、前記貯蔵庫本体の開口縁部と前記扉の背面との間に向かって流れる庫内の冷気の流れを阻害する凸条部と、
を備え、前記凸条部は張り出し方向の先端部に平坦面を有しており、前記平坦面は、前記扉が閉じられている状態において、前記回動軸に近づくにつれて前側に傾斜している、冷却貯蔵庫。
【請求項２】
請求項１に記載の冷却貯蔵庫であって、
前記平坦面は前記扉の背面に対して前記扉の全開角度から８０度〜１００度の範囲の角度を減じた角度で傾斜している、冷却貯蔵庫。
【請求項３】
請求項２に記載の冷却貯蔵庫であって、
前記平坦面は前記扉の背面に対して前記扉の全開角度から９０度を減じた角度で傾斜している、冷却貯蔵庫。
【請求項４】
請求項２又は請求項３に記載の冷却貯蔵庫であって、
前記平坦面は、前記扉が全開状態のとき、前記貯蔵庫本体の前記開口を形成している端面と概ね同一平面上となる位置に設けられている、冷却貯蔵庫。
【発明の詳細な説明】
【技術分野】
【０００１】
本明細書で開示する技術は、冷却貯蔵庫に関する。
【背景技術】
【０００２】
従来、開口を有する貯蔵庫本体と、開口を開閉する扉であって、回動軸回りに回動可能に貯蔵庫本体に取り付けられており、９０度より大きく開く扉とを備える冷却貯蔵庫において、扉が閉じられている状態において扉の背面から庫内側に張り出している凸条部であって、回動軸の近傍において回動軸方向に延びており、貯蔵庫本体の開口縁部と扉の背面との間に向かって流れる庫内の冷気の流れを阻害する凸条部を備えるものが知られている（例えば、特許文献１参照）。
【０００３】
具体的には、特許文献１に記載の冷却貯蔵庫では、同文献の図３、図４に示されているように、断熱扉の内装板に矩形枠状のパッキンが装着されており、その内側に矩形状に張り出すリブが形成されている。リブのうち回動軸側の近傍において回動軸方向に延びている部分は上述した凸条部に相当する。特許文献１に記載のリブは断熱扉が閉じられている状態において断熱扉の背面から庫内側に張り出しており、張り出し方向の先端部に平坦面を有している。特許文献１に記載の冷却貯蔵庫では当該平坦面が内装板の板面と平行になっている（同文献の図４）。
【先行技術文献】
【特許文献】
【０００４】
【特許文献１】特開２０１６−１５６５７１号公報
【発明の概要】
【発明が解決しようとする課題】
【０００５】
特許文献１に記載の冷却貯蔵庫では、扉を９０度より大きく開いた場合に開口の左右方向の寸法が上述した凸条部（リブのうち回動軸側の近傍において回動軸方向に延びている部分）によって狭くなってしまい、庫内に収納できる収納物の大きさが小さくなってしまうという問題があった。
【０００６】
本明細書では、貯蔵庫本体の開口縁部と扉の背面との間に向かって流れる庫内の冷気の流れを凸条部によって阻害しつつ、扉を９０度より大きく開いたときに開口の寸法が凸条部によって狭くなってしまうことを抑制する技術を開示する。
【課題を解決するための手段】
【０００７】
本明細書で開示する冷却貯蔵庫は、前側に開口を有する貯蔵庫本体と、前記開口を開閉する扉であって、回動軸回りに回動可能に前記貯蔵庫本体に取り付けられており、９０度より大きく開く扉と、前記扉が閉じられている状態において前記扉の背面から庫内側に張り出している凸条部であって、前記回動軸の近傍において前記回動軸方向に延びており、前記貯蔵庫本体の開口縁部と前記扉の背面との間に向かって流れる庫内の冷気の流れを阻害する凸条部と、を備え、前記凸条部は張り出し方向の先端部に平坦面を有しており、前記平坦面は前記回動軸に近づくにつれて前側に傾斜している。
【０００８】
上記の冷却貯蔵庫によると、凸条部の平坦面は回動軸に近づくにつれて扉の背面に近づくように傾斜しているので、平坦面が背面と平行な場合に比べ、扉を全開したときに凸条部によって開口が狭くなってしまうことを抑制できる。これにより、貯蔵庫本体の開口縁部と扉の背面との間に向かって流れる庫内の冷気の流れを凸条部によって阻害しつつ、扉を９０度より大きく開いたときに開口の寸法が凸条部によって狭くなってしまうことを抑制できる。このため、従来に比べて大きな収納物を収納することができる。
【０００９】
また、前記平坦面は前記扉の背面に対して前記扉の全開角度から８０度〜１００度の範囲の角度を減じた角度で傾斜していてもよい。
【００１０】
平坦面が傾斜する角度が浅いと開口の寸法を広くする効果が小さくなる。一方、平坦面が傾斜する角度が深いと凸条部の厚みが薄くなってしまい、貯蔵庫本体の開口縁部と扉の背面との間に向かって流れる庫内の冷気の流れを阻害する機能が低下してしまう。このため、開口の寸法を広くしつつ庫内の冷気の流れを阻害する機能の低下を抑制するためには、平坦面が傾斜する角度は、扉の全開角度から８０度〜１００度の範囲の角度を減じた角度が望ましい。
【００１１】
また、前記平坦面は前記扉の背面に対して前記扉の全開角度から９０度を減じた角度で傾斜していてもよい。
【００１２】
平坦面を全開角度から９０度を減じた角度で傾斜させると、開口の寸法を最大限に広くしつつ、平坦面を必要以上に傾斜させないことによって庫内の冷気の流れを阻害する機能の低下を抑制できる。
【００１３】
また、前記平坦面は、前記扉が全開状態のとき、前記貯蔵庫本体の前記開口を形成している端面と概ね同一平面上となる位置に設けられている。
【００１４】
扉が全開状態のとき、前側から見て凸条部の平坦面が開口に重なる位置にあると、収納可能な収納物の大きさは、開口を通過可能な最大の大きさよりも小さくなってしまう。上記の冷却貯蔵庫によると、平坦面が開口を形成している端面と概ね同一平面上となる位置に設けられているので、開口を通過可能な最大の大きさ、あるいはそれに近い大きさの収納物を収納できる。これにより、冷却貯蔵庫を利用するユーザの利便性が向上する。
【図面の簡単な説明】
【００１５】
【図１】実施形態１に係る冷凍冷蔵庫を前側から見た正面図
【図２】図１に示すＡ−Ａ線の断面図（左側の断熱扉を開いた状態）
【図３】冷凍回路の斜視図
【図４】左側の断熱扉を右側から見た側面図
【図５】左側の断熱扉を下側から見た側面図
【図６】左側の断熱扉の背面図（一部を断面で示す）
【図７】図６に示すＢ−Ｂ線の断面図（マグネットパッキンは省略）
【図８】図６に示すＣ−Ｃ線の断面図（マグネットパッキンは省略）
【図９】比較例に係る冷凍冷蔵庫の左側の断熱扉を開いた状態の断面図
【発明を実施するための形態】
【００１６】
＜実施形態１＞
実施形態１を図１ないし図８に基づいて説明する。以降の説明において上下方向及び左右方向とは図１に示す上下方向及び左右方向のことをいう。また、前後方向とは図１において紙面垂直方向のことをいい、紙面手前側を前側、紙面奥側を後側という。
【００１７】
（１）冷凍冷蔵庫の全体構成
図１を参照して、実施形態１に係る冷却貯蔵庫１の全体構成について説明する。冷却貯蔵庫１は主に業務に用いられる横型の冷凍冷蔵庫であり、前側に開口４０（図２参照）を有する断熱箱体からなる貯蔵庫本体１０、貯蔵庫本体１０の開口４０を開閉する観音開き式の一対の断熱扉１１（１１Ａ、１１Ｂ）、及び、貯蔵庫本体１０の左側に配されている機械室１２を備えている。断熱扉１１は扉の一例である。
【００１８】
貯蔵庫本体１０の内部は断熱性の隔壁１５によって左右に仕切られている。隔壁１５を挟んで左側は冷凍室であり、右側は冷蔵室である。冷凍室には後述する冷凍回路２０の冷凍室用蒸発器２４が収容されている。冷蔵室には後述する冷凍回路２０の冷蔵室用蒸発器２５が収容されている。
【００１９】
一対の断熱扉１１は左右対称に形成されている。左側の断熱扉１１Ａは左側の上下がヒンジ１３によって回動軸４１Ａ周りに回動可能に貯蔵庫本体１０に取り付けられている。右側の断熱扉１１Ｂは右側の上下がヒンジ１３によって回動軸４１Ｂ周りに回動可能に貯蔵庫本体１０に取り付けられている。
【００２０】
図２に示すように、断熱扉１１は９０度より大きく開くように構成されている。具体的には、本実施形態に係る断熱扉１１の全開角度は１１２度である。ここで全開角度とは、断熱扉１１が最大に開いたときの角度のことをいう。断熱扉１１の全開角度は適宜の方法で設定することができる。例えば、ヒンジ１３の凹凸構造によって設定してもよいし、断熱扉１１がある程度まで開かれると規制部が断熱扉１１に当接することによって設定してもよい。あるいは、断熱扉１１がある程度まで開かれるとマグネットによって断熱扉１１を吸着することによって設定してもよいし、断熱扉１１がある程度まで開かれると断熱扉１１が係合部に係合することによって設定してもよい。
【００２１】
図１に示す機械室１２には後述する冷凍回路２０（図３参照）の一部、制御部、電源部などが収容されている。機械室１２の前面には操作部１４が設けられている。ユーザは操作部１４を操作することによって庫内の目標温度などを設定することができる。
【００２２】
（２）冷凍回路
図３を参照して、冷凍回路２０について説明する。冷凍回路２０は圧縮機２１、凝縮器２２、冷凍室用蒸発器２４、冷蔵室用蒸発器２５などを有しており、これらが金属製の冷媒管３６によって循環接続されている。なお、冷凍回路２０は減圧器（例えばキャピラリチューブ）などの他の構成要素も有しているがここでは説明を省略する。
【００２３】
圧縮機２１及び凝縮器２３は冷媒管３６を介して直列に接続されている。凝縮器２３の出口側に接続されている冷媒管３６は途中で分岐しており、分岐した一方の冷媒管３６が冷凍室用蒸発器２４の入口側に接続されていると共に、他方の冷媒管３６が冷蔵室用蒸発器２５の入口側に接続されている。冷凍室用蒸発器２４の出口側に接続されている冷媒管３６と冷蔵室用蒸発器２５の出口側に接続されている冷媒管３６とは途中で合流しており、合流した冷媒管３６が圧縮機２１の入口側に接続されている。図３に示すように、冷媒管３６の一部の周りにはスポンジ状の断熱材であるインシュレーション３７が巻き付けられている。
【００２４】
（３）断熱扉
左側の断熱扉１１Ａと右側の断熱扉１１Ｂとは左右反転した形状に構成されている点を除いて実質的に同一構造であるので、ここでは左側の断熱扉１１Ａを例に説明する。
図４及び図５に示すように、断熱扉１１Ａはステンレス鋼板などの金属製の外装板３０と合成樹脂製の内装板３１とを有している。外装板３０は後側に開口する浅い箱状に形成されており、後側から板状の内装板３１が取り付けられている。断熱扉１１Ａは前後方向にある程度の厚みを有しており、内部に発泡剤が充填されている。
【００２５】
図６〜図８に示すように、内装板３１には後側（断熱扉１１Ａが閉じられている状態において庫内側）に張り出している矩形枠状のリブ３２が一体に形成されている。リブ３２は貯蔵庫本体１０の開口縁部と内装板３１との間に向かって流れる庫内の冷気の流れを阻害して庫内の冷気がその間から庫外に漏れることを抑制するためのものである。リブ３２の具体的な構成については後述する。
【００２６】
図４〜図６に示すように、内装板３１にはリブ３２を囲むように矩形枠状のマグネットパッキン３３が取り付けられている。断熱扉１１Ａを閉じるとマグネットパッキン３３が貯蔵庫本体１０の開口縁部（言い換えると貯蔵庫本体１０の前側を向く端面）、及び、冷凍室と冷蔵室とを仕切る隔壁１５の前側を向く端面に吸着することによって庫内が密閉される。
【００２７】
図６〜図８を参照して、リブ３２の具体的な構成について説明する。リブ３２は内装板３１の上辺から所定距離だけ下に離間した位置において上辺に沿って水平に延びる上側凸条部３２Ａ（図７）、内装板３１の下辺から所定距離だけ上に離間した位置において下辺に沿って水平に延びる下側凸条部３２Ｂ（図６、図７）、内装板３１の左辺から所定距離だけ右に離間した位置において左辺に沿って鉛直に延びる左側凸条部３２Ｃ（図６、図８）、内装板３１の右辺から所定距離だけ左に離間した位置において右辺に沿って鉛直に延びる右側凸条部３２Ｄ（図６、図８）を有している。左側凸条部３２Ｃは左側の断熱扉１１Ａにおける凸条部の一例である。
【００２８】
図７及び図８に示すように、上下左右の各凸条部は張り出し方向（断熱扉１１Ａが閉じられている状態において前から後に向かう方向）の先端部に平坦面３４（３４Ａ〜３４Ｄ）を有している。図８に示すように、左側凸条部３２Ｃ（回動軸４１Ａの近傍において回動軸４１Ａ方向に延びている凸条部）の平坦面３４Ｃは回動軸４１Ａに近づくにつれて断熱扉１１Ａの背面１１Ｃに近づくように傾斜している。言い換えると、平坦面３４Ｃは、断熱扉１１Ａが閉じられている状態においては、回動軸４１Ａに近づくにつれて前側に傾斜している。
【００２９】
具体的には、図２に示すように、平坦面３４Ｃは、断熱扉１１Ａを全開したとき、平坦面３４Ｃと断熱扉１１Ａの背面１１Ｃとがなす角度が断熱扉１１Ａの全開角度から９０度を減じた角度となるように傾斜している。前述したように本実施形態では断熱扉１１Ａの全開角度は１１２度であるので、平坦面３４Ｃと断熱扉１１Ａの背面１１Ｃとがなす角度は２２度（＝１１２度―９０度）となる。このため、断熱扉１１Ａを全開したとき、左側凸条部３２Ｃの平坦面３４Ｃは左右方向に対して垂直となる。
【００３０】
また、図２に示すように、平坦面３４Ｃは、断熱扉１１Ａが全開状態のとき、貯蔵庫本体１０の開口４０を形成している端面４２と概ね同一平面上となる位置に設けられている。
【００３１】
（４）実施形態の効果
図９は、左側凸条部１３２Ｃの平坦面１３４Ｃが断熱扉１１１Ａの背面１１１Ｃと平行な場合を比較例として示している。比較例では左側凸条部１３２Ｃの平坦面１３４Ｃが断熱扉１１１Ａの背面１１１Ｃと平行であるので、断熱扉１１１Ａを全開したとき、開口４０の開口寸法Ｗ２が左側凸条部１３２Ｃによって狭くなる。このため庫内に収納できる収納物の大きさが小さくなってしまう。
【００３２】
これに対し、図２に示すように、冷却貯蔵庫１によると、平坦面３４Ｃは回動軸４１Ａに近づくにつれて断熱扉１１Ａの背面１１Ｃに近づくように傾斜しているので、断熱扉１１Ａを全開したときの開口４０の開口寸法Ｗ１はＷ２より大きくなる。なお、図２ではマグネットパッキン３３があるのでマグネットパッキン３３がある位置では開口寸法がＷ１より狭くなっているが、マグネットパッキン３３は弾性変形する合成樹脂製の部材であるので、収納物を収納するときにはマグネットパッキン３３が収納物によって押し潰される。このため開口寸法はＷ１であるといえる。
このため、冷却貯蔵庫１によると、貯蔵庫本体１０の開口縁部と断熱扉１１Ａの背面１１Ｃとの間に向かって流れる庫内の冷気の流れを左側凸条部３２Ｃによって阻害しつつ、断熱扉１１Ａを９０度より大きく開いたときに開口寸法が左側凸条部３２Ｃによって狭くなってしまうことを抑制することができる。これにより、従来に比べて大きな収納物を収納することができる。
【００３３】
また、冷却貯蔵庫１によると、平坦面３４Ｃは断熱扉１１Ａの背面１１Ｃに対して断熱扉１１Ａの全開角度から９０度を減じた角度で傾斜している。平坦面３４Ｃを全開角度から９０度を減じた角度で傾斜させると、開口寸法を最大限に広くしつつ、平坦面３４Ｃを必要以上に傾斜させないことによって左側凸条部３２Ｃの庫内の冷気の流れを阻害する機能の低下を抑制できる。
【００３４】
また、冷却貯蔵庫１によると、平坦面３４Ｃは、断熱扉１１Ａが全開状態のとき、貯蔵庫本体１０の開口４０を形成している端面４２と概ね同一平面上となる位置に設けられている。断熱扉１１Ａが全開状態のとき、平坦面３４Ｃが端面４２より右側にあると、収納可能な収納物の大きさがその分だけ小さくなってしまう。また、平坦面３４Ｃが端面４２より左側にあると左側凸条部３２Ｃを小さくしなければならず、庫内の冷気の流れを阻害する機能が低下する虞がある。冷却貯蔵庫１によると、平坦面３４Ｃが端面４２と概ね同一平面上となる位置に設けられているので、平坦面３４Ｃが端面４２より左側にある場合に比べて庫内の冷気の流れを阻害する機能の低下を抑制しつつ、平坦面３４Ｃが端面４２より右側にある場合に比べて大きい収納物を収納できる。
【００３５】
＜他の実施形態＞
本明細書によって開示される技術は上記記述及び図面によって説明した実施形態に限定されるものではなく、例えば次のような実施形態も本明細書によって開示される技術的範囲に含まれる。
【００３６】
（１）上記実施形態では、断熱扉１１Ａを全開したとき、左側凸条部３２Ｃの平坦面３４Ｃが左右方向に対して垂直となるように傾斜している場合を例に説明したが、必ずしも垂直となるように傾斜していなくてもよい。平坦面３４Ｃの傾斜角度は、庫内の冷気の流れを阻害する効果を奏するように左側凸条部３２Ｃの高さ（前後方向の幅）を確保した上で適宜に決定することができる。例えば、平坦面３４Ｃが傾斜する角度は、断熱扉１１Ａの全開角度から８０度〜１００度の範囲の角度を減じた角度であってもよい。
【００３７】
また、平坦面３４Ｃが傾斜する角度が断熱扉１１Ａの全開角度から８０度〜１００度の範囲の角度を減じた角度である場合も、平坦面３４Ｃは、断熱扉１１Ａが全開状態のとき、貯蔵庫本体１０の開口４０を形成している端面４２と概ね同一平面上となる位置に設けられてもよい。この場合は平坦面３４Ｃと端面４２とが完全には同一平面上に位置しないが、平坦面３４Ｃの傾斜が僅かであるので（端面４２に対して±１０度以内であるので）、概ね同一平面上であるといる。このため、この場合も、庫内の冷気の流れを阻害する機能の低下を抑制しつつ大きい収納物を収納できる。
【００３８】
（２）上記実施形態では冷却貯蔵庫として冷却貯蔵庫１を例に説明したが、冷却貯蔵庫は冷蔵庫であってもよいし、冷凍庫であってもよい。
【００３９】
（３）上記実施形態では左側の断熱扉１１Ａの右側凸条部３２Ｄの平坦面３４Ｄも内装板３１の背面１１Ｃに対して傾斜している場合を例に説明した。これに対し、右側凸条部３２Ｄの平坦面３４Ｄは背面１１Ｃと平行であってもよい。ただし、右側凸条部３２Ｄの平坦面３４Ｄも傾斜させると左右の断熱扉１１で内装板３１を共通化することができるので、製造コストを抑制できる。
【００４０】
（４）上記実施形態では、図２に示すように、断熱扉１１Ａが全開状態のときに断熱扉１１Ａの左側凸条部３２Ｃの平坦面３４Ｃが貯蔵庫本体１０の開口４０を形成している端面４２と概ね同一平面上となる位置に設けられている場合を例に説明した。これに対し、平坦面３４Ｃの左右方向の位置は、従来に比べて大きな収納物を収納可能な範囲で、図２に示す位置より右側や左側にずれていてもよい。
【符号の説明】
【００４１】
１…冷凍冷蔵庫（冷却貯蔵庫の一例）、１０…貯蔵庫本体、１１…断熱扉（扉の一例）、１１Ｃ…背面、３２Ｃ…左側凸条部（凸条部の一例）、３４Ｃ…平坦面、４０…開口、４１Ａ，４１Ｂ…回動軸
【図１】
2019143893.tif 000003
【図２】
2019143893.tif 000004
【図３】
2019143893.tif 000005
【図４】
2019143893.tif 000006
【図５】
2019143893.tif 000007
【図６】
2019143893.tif 000008
【図７】
2019143893.tif 000009
【図８】
2019143893.tif 000010
【図９】
2019143893.tif 000011